(57)【要約】    【課題】釣人が仕掛けの態様を簡単且つ迅速に変更して海上の状況の変化に瞬時に対応することができる釣用浮きの提供。    【解決手段】この釣用浮き２０は、本体２１と分離体２２とを有する。分離体２２は、保持機構３０を介して本体２１に着脱される。保持機構３０は、保持棒３３を備え、これに分離体２２が螺合される。本体２１は、貫通孔２５が設けられ、比重が１．０３５以上に設定されている。分離体２２は、貫通孔２８が設けられ、比重が１．０３５以下に設定されている。本体２１と分離体２２が合体した状態で、上記貫通孔２５と貫通孔２８は、連通される。【選択図】図２
2005080614.tif 000002
【特許請求の範囲】
【請求項１】
釣糸が挿通される第１釣糸挿通孔が貫通形成され、比重が１．０３５以上に設定された本体と、
釣糸が挿通される第２釣糸挿通孔が貫通形成され、比重が１．０３５以下に設定された分離体と、
分離体を所定の保持力で保持することによって上記第１釣糸挿通孔の中心と第２釣糸挿通孔の中心とを一致させた状態で当該分離体を本体に合体させる保持機構とを備えた釣用浮き。
【請求項２】
上記保持機構は、
本体に立設された保持棒と、
分離体に設けられ、保持棒と螺合する螺合凹部とを有する釣用浮き。
【請求項３】
上記保持棒は、先端部外周面に雄ねじが形成され且つ上記第１釣糸挿通孔を構成する筒状部材からなり、
上記螺合凹部は、上記第２釣糸挿通孔に形成されたねじ孔からなる請求項２に記載の釣用浮き。
【請求項４】
上記保持機構は、
本体に立設され、先端部が略球形に形成された保持棒と、
分離体に設けられ、保持棒の先端部と嵌合する嵌合凹部とを有し、
当該嵌合凹部は保持棒の先端部が挿脱される開口を有し、当該開口の内径寸法が上記先端部の外径寸法よりも小さく設定されている請求項１に記載の釣用浮き。
【請求項５】
上記保持棒は、上記第１釣糸挿通孔を構成する筒状に形成され、
上記嵌合凹部は、上記第２釣糸挿通孔の端部の内壁面形状が略球形に形成されることによって形成されている請求項４に記載の釣用浮き。
【請求項６】
上記保持棒の先端部は、外径寸法が弾性的に拡縮可能なように軸方向に沿ってスリットが形成されている請求項４又は５に記載の釣用浮き。
【請求項７】
上記保持機構は、
本体に設けられ、開口を有する分離体収容部と、
当該開口の周縁部から分離体収容部の内壁面に沿って形成された雌ねじ部と、
分離体の外周面に形成された雄ねじ部とを備えている請求項１に記載の釣用浮き。
【請求項８】
上記保持機構は、
本体に設けられ、開口を有するた分離体収容部と、
当該開口の周縁部から分離体収容部の内壁面に沿って形成された略Ｌ字状の係合溝と、
分離体の外周面に突設され、係合溝と係合する係合爪とを備えている請求項１に記載の釣用浮き。
【発明の詳細な説明】
【技術分野】
【０００１】
本発明は、釣りの際に使用される浮きに関するものである。
【背景技術】
【０００２】
釣りのジャンルに「浮き釣り」というものがある。浮き釣りは、文字通り「浮き」と称されるアイテムを用いて魚を釣ろうとするものである。図９は、一般的な浮き釣りの仕掛けによる釣りの様子を示す模式図である。
【０００３】
同図が示すように浮き釣りでは、仕掛け１は、道糸２と、連結具７（通常「サルカン」と称される。）を介して道糸２に連結されたハリス３と、ハリス３の先端に設けられた釣針４と、道糸２に装着された浮き５とを有する。浮き５の装着態様は従来から種々提案されているが、この仕掛け１では、浮き５はいわゆる中通しタイプのものであって、道糸２は、浮き５の内部に挿通されており、浮き５は、道糸２に沿って自在にスライドするようになっている。ただし、一般に道糸２には浮止具８が設けられ、これにより浮き５は、サルカン７と浮止具８との間でスライドする。また、浮き５は、海中に投入された状態で所定の浮力を備え、これにより、海面６に浮かぶことになる。さらに、仕掛け１が海中で安定的に配置されるために、ハリス３には、錘９（通常「ガン玉」と称される。）が適宜装着される。
【０００４】
このように構成された仕掛け１が海中に投入されると、釣針４、ハリス３、ガン玉９、サルカン７等に作用する重力によって釣針４等が海中に沈んでいき、道糸２が海面６に浮かんだ浮き５に対して相対的に矢印１０の方向に沿ってスライドする。そして、図１０が示すように、道糸２に設けられた浮止具８が浮き５に当接した時点で、当該仕掛け１が海中で安定する。
【０００５】
ところで、海上の状況は刻々と変化し、場合によっては潮流が速くなることもある。図１１は、潮流が速くなったときの仕掛け１の状態を示す模式図である。同図が示すように、潮流が速い場合は、これによって仕掛け１全体が潮流の方向（矢印１１の方向）に流される。しかも、道糸２は、釣竿側に延びているから、道糸２が相対的に釣竿側に引っ張られ、その結果、仕掛け１は、海面６側に浮き上がった状態で潮流方向に流されていく。このような状態では、釣針４も海面６付近に漂う状態となるから、釣果は期待されない。
【０００６】
この問題が解決されるために、図１２が示すように、従来では、浮き５の浮力が抑えられ、浮き５自体が海中に潜行するように構成されたものがある。このように浮き５の浮力が抑えられた場合には、浮き５が先行しながら潮流に流されるので、仕掛け１は、浮き５に案内される状態で海中の釣人が所望する位置に配置される。ところが、このように浮き５が潜行するように構成されると、釣人から浮き５を確認することが困難となるうえ、釣人が道糸２を管理する必要があり、この道糸管理作業は、釣人にとって熟練を要するものである。その結果、結局このような釣法では、熟練者でない限り釣果が期待されない。
【０００７】
そこで、道糸２に浮きが２つ設けられる釣法が提案された。図１３は、従来の浮きが２つ設けられた釣法（一般に「二段浮き釣法」と称される。）を模式的に示す図である。同図が示すように、道糸２には水中浮きと称される潜行浮き１２と、当たり浮きと称される海面６に浮く浮き１３とが装着されている（例えば、非特許文献１参照）。この場合、速い潮流が矢印１１の方向に流れたときには、潜行浮き１２が海中に潜行して仕掛け１を釣人の所望の位置へ運び、一方、浮き１３は海面６に止まって、魚のヒットを釣人に知らせる。この釣法によれば、釣人に熟練が要請されず、釣人は、比較的簡単に釣りを行うことができる。
【０００８】
【特許文献１】株式会社シマノ  ２００３  Fishing Tackle Catalogue（第２１７頁、第２１８頁）
【発明の開示】
【発明が解決しようとする課題】
【０００９】
しかしながら、前述のように、海上の状況は刻々変化するものであるから、このような二段浮き釣法が適する状況が変化し、潮流が遅く波も小さくなり、いわゆる凪状態となる場合もある。そのような状況に変化した場合は、二段浮き釣法はむしろ適さず、図９に示された通常の釣法が適する。これに対応するために、釣人は、仕掛け全体を作り直す必要があり、この作業は非常に繁雑である。
【００１０】
そこで、本発明の目的は、仕掛けの態様を簡単且つ迅速に変更し、釣人が海上の状況の変化に瞬時に対応することができる釣用浮きを提供することである。
【課題を解決するための手段】
【００１１】
(1) 上記目的が達成されるため、本発明に係る釣用浮きは、釣糸が挿通される第１釣糸挿通孔が貫通形成され、比重が１．０３５以上に設定された本体と、釣糸が挿通される第２釣糸挿通孔が貫通形成され、比重が１．０３５以下に設定された分離体と、分離体を所定の保持力で保持することによって上記第１釣糸挿通孔の中心と第２釣糸挿通孔の中心とを一致させた状態で当該分離体を本体に合体させる保持機構とを備えたことを特徴とするものである。
【００１２】
この構成によれば、保持機構によって分離体が本体に所定の保持力で合体される。このとき、第１釣糸挿通孔と第２釣糸挿通孔とが連通され、単一の釣糸挿通孔が形成される。すなわち、分離体が本体に合体されたときは、単一の中通し浮きが構成される。本体及び分離体が上記の比重に設定されるから、当該分離体が本体に合体された中通し浮きは、海中で所定の浮力を有する。一方、釣人は、所要時において、上記保持力に抗して分離体を引っ張ることによって分離体を本体から離脱させることができる。これにより、本体は、上記比重であることから水中浮きとして機能し、分離体は、上記比重であることから海面に浮く当たり浮きとして機能し得る。また、釣人は、さらに必要であれば、保持機構によって分離体を本体に合体させることができる。
【００１３】
ここで、上記保持機構は、本体に立設された保持棒と、分離体に設けられ、保持棒と螺合する螺合凹部とを有して構成される。この構成では、本体側に設けられた保持棒に分離体がねじ込まれるだけで、分離体が簡単に本体に保持され、また、簡単に本体から分離される。
【００１４】
特に、上記保持棒としては、先端部外周面に雄ねじが形成され且つ上記第１釣糸挿通孔を構成する筒状部材が採用され、上記螺合凹部は、上記第２釣糸挿通孔に形成されたねじ孔により構成され得る。この場合では、筒状部材が本体に貫通配置されることによって保持棒が形成されると同時に第１釣糸挿通孔が形成されるので、第１釣糸挿通孔を形成するための特別の加工が不要となる。しかも、第２釣糸挿通孔の一部によって、保持棒が螺合されるねじ孔が構成されるから、保持棒と螺合するための当該ねじ孔を正確に位置決めする作業が不要となる。すなわち、この第２釣糸挿通孔に上記ねじ孔が設けられることによって、当該ねじ孔の位置は、自動的に上記保持棒の位置と一致する。
【００１５】
(2) また、上記保持機構は、本体に立設され、先端部が略球形に形成された保持棒と、分離体に設けられ、保持棒の先端部と嵌合する嵌合凹部とを有し、当該嵌合凹部は保持棒の先端部が挿脱される開口を有し、当該開口の内径寸法が上記先端部の外径寸法よりも小さく設定されることにより構成され得る。この構成では、本体側に設けられた保持棒が分離体の嵌合凹部に押し込まれるだけで、分離体が簡単に本体に保持され、また、分離体が保持棒から引き抜かれるだけで、簡単に本体から分離される。
【００１６】
ここで、上記保持棒は、上記第１釣糸挿通孔を構成する筒状に形成され、上記嵌合凹部は、上記第２釣糸挿通孔の端部の内壁面形状が略球形に形成されることによって形成され得る。この場合では、保持棒が本体に貫通配置されることによって、当該保持棒が筒状に形成されていることから同時に第１釣糸挿通孔が形成される。したがって、第１釣糸挿通孔を形成するための特別の加工が不要となる。しかも、第２釣糸挿通孔の一部によって嵌合凹部が構成されるから、保持棒と嵌合するために当該嵌合凹部を正確に位置決めする作業が不要となる。すなわち、この第２釣糸挿通孔に上記嵌合凹部が設けられることによって、当該嵌合凹部の位置は、自動的に上記保持棒の位置と一致する。
【００１７】
特に、上記保持棒の先端部は、外径寸法が弾性的に拡縮可能なように軸方向に沿ってスリットが形成されているのが好ましい。これにより、保持棒の先端部が嵌合凹部に嵌め込まれる際に、当該先端部の外径寸法は、嵌合凹部の開口の内径寸法に対応して弾性的に小さくなる。したがって、保持棒に分離体が容易に嵌め込まれるという利点がある。
【００１８】
(3) さらに、上記保持機構は、本体に設けられ、開口を有する分離体収容部と、当該開口の周縁部から分離体収容部の内壁面に沿って形成された雌ねじ部と、分離体の外周面に形成された雄ねじ部とを備えて構成され得る。この構成では、分離体は、本体の分離体収容部に直接ねじ込まれることにより、本体に簡単に保持される。
【００１９】
(4) また、上記保持機構は、本体に設けられ、開口を有するた分離体収容部と、当該開口の周縁部から分離体収容部の内壁面に沿って形成された略Ｌ字状の係合溝と、分離体の外周面に突設され、係合溝と係合する係合爪とを備えて構成され得る。この構成では、分離体は、係合爪が本体の係合溝に挿入され、当該係合溝に沿ってスライドされることによって、本体に保持される。しかも、係合溝が略Ｌ字状に形成されているから、上記係合爪と係合溝との係合及び係合解除は、きわめて簡単に行われる。
【発明の効果】
【００２０】
以上のように本発明によれば、分離体が本体に合体されることによって単一の中通し浮きが構成され、所要時には、分離体が本体から離脱されるので、釣人が単一の中通し浮きとして使用しているときであっても、分離体を本体から分離させることによって、本体を水中浮きとして使用し、分離体を当たり浮きとして使用することが可能である。したがって、釣人は、海上の状況の変化に瞬時に対応して仕掛けの態様を簡単且つ迅速に変更することができる。
【発明を実施するための最良の形態】
【００２１】
以下、適宜図面が参照されつつ、好ましい実施形態に基づいて本発明が詳細に説明される。
【００２２】
＜第１の実施形態＞
図１は、本発明の第１の実施形態に係る釣用浮き２０の正面図であり、図２は、一部断面分解正面図である。
【００２３】
この釣用浮き２０は、本体２１と分離体２２とを有し、分離体２２は、後に詳述される保持機構３０を介して本体２１に着脱されるようになっている。すなわち、本実施形態に係る釣用浮き２０は、本体２１と分離体２２とが合体された状態（図１に示す状態）で単一の中通し浮きとして構成され、本体２１と分離体２２とが分離された状態では、本体２１が水中浮きとして使用され、一方、分離体２２が当たり浮きとして使用され得るものであり、本体２１と分離体２２とは、ワンタッチで合体又は分離がなされるようになっている。
【００２４】
本体２１は、木材、樹脂等により構成されており、外形形状が略紡錘形ないし卵形に形成されている。なお、本実施形態では、本体２１が卵形に形成されているが、これに限定されるものではなく、他の種々の外形形状に形成されていてもよいことは勿論である。また、本体２１の下端部には錘２３が埋設されている。この錘２３は、例えば鉛等の金属により構成されており、その下端面は、本体２１の外周面の一部を形成している。
【００２５】
本体２１には、分離体２２が収容される収容部２４と、収容部２４に連通する貫通孔２５（第１釣糸挿通孔）とが設けられている。収容部２４は、本体２１の上面２６から下方へ向かって形成されており、その内壁面形状は、略球形に形成されている。収容部２４の仮想中心軸は、本体２１の仮想中心軸と一致している。この収容部２４の内径寸法は、分離体２２の外形寸法に対応されており、分離体２２は、図１が示すように、収容部２４に隙間なく嵌め込まれるようになっている。
【００２６】
また、貫通孔２５は、釣用浮き２０が中通し浮きとして使用される際に釣糸が挿通される部分であり、収容部２４の底面中央部から下方に向かって設けられている。すなわち、貫通孔２５は、その仮想中心軸が本体２１の上記仮想中心軸と一致しており、したがって、本体２１の中心を上下方向に沿って延び、且つ収容部２４に連通している。なお、本実施形態では、貫通孔２５の上端部３６は、若干拡径されており、貫通孔２５に段部が形成されている。この段部による作用効果については後述される。
【００２７】
分離体２２は、本体２１と同様に木材、樹脂等により構成されており、外形形状は、略樽形に形成されている。なお、分離体２２についても、略樽型に限定されるものではなく、他の種々の外形形状に形成されていてもよいことは勿論である。また、分離体２２の下端部には錘２７が埋設されている。この錘２７は、本体２１に設けられた錘と同様に、例えば鉛等の金属により構成されており、その下端面は、分離体２２の外周面（下面）の一部を形成している。
【００２８】
分離体２２には、その仮想中心軸に沿って貫通孔２８（第２釣糸挿通孔）が設けられている。貫通孔２８は、釣用浮き２０が中通し浮きとして使用される際に釣糸が挿通される部分である。また、この貫通孔２８の下端部には、螺合凹部３１が設けられている。この螺合凹部３１は、貫通孔２８の下端部が拡径されることにより構成されており、その内周面には、雌ねじ３２が形成されている。
【００２９】
さらに、本実施形態では、上記貫通孔２８の上端部にスリーブ２９が嵌め込まれている。このスリーブ２９は、円筒状に形成されており、樹脂や金属等により構成される。このスリーブ２９が設けられることによって、釣糸が貫通孔２８に非常に滑らかに挿通される。もっとも、このスリーブ２９は、省略されてもよいことは勿論である。
【００３０】
保持機構３０は、保持棒３３と、上記螺合凹部３１とにより構成される。保持棒３３は、円筒状の部材であり、樹脂や金属等により構成されている。この保持棒３３の先端部３５は、拡径されており、当該先端部３５に雄ねじ３４が形成されている。この雄ねじ３４は、上記螺合凹部３１に設けられた雌ねじ３２と螺合するようになっている。保持棒３３の外径寸法は、本体２１に設けられた貫通孔２５の内径寸法に対応されており、したがって、保持棒３３は、上記貫通孔２５に隙間なく挿入される。このように、保持棒３３が貫通孔２５に挿入されることにより、保持棒３３が円筒状に形成されていることから、保持棒３３の軸方向に沿って形成される孔３８は、上記釣糸が挿通される部分を構成することになる。
【００３１】
このとき、貫通孔２５の上端部３６が前述のように拡径されることにより段部が形成されているが、この上端部３６の内径寸法は、保持棒３３の先端部３５の外径寸法に対応されている。したがって、保持棒３３が上記貫通孔２５に上方から挿通された状態では、保持棒３３の先端部３５が上記貫通孔２５の上端部３６によって形成される段部に当接する。なお、本実施形態では、保持棒３３の下端部に固定リング３７が設けられている。この固定リング３７は、樹脂や金属等からなる環状の部材であって、その内径寸法は保持棒３３の外径寸法に対応され、その外径寸法は、上記貫通孔２５の内径寸法よりも大きくなるように設定されている。そして、保持棒３３が上方から上記貫通孔２５に挿通され、当該保持棒３３の下端部に固定リング３７が固定されることによって、本体２１に立設された状態となる。すなわち、保持棒３３は、本体２１の中心を貫通した状態で配置され、上記収容部２４に突出する。
【００３２】
このように本体２１に錘２３、保持棒３３及び固定リング３７が設けられることによって、本体２１の比重は、１．０３５以上に設定される。具体的には、本体２１の比重は、１．０３〜１．１５の範囲で設定され、好ましくは、１．０３５〜１．０５の範囲で設定され得る。また、分離体２２は、上記錘２７及びスリーブ２９が設けられることによって、比重が１．０３５以下に設定される。具体的には、分離体２２の比重は、０．７５〜１．０３５の範囲で設定され、好ましくは、０．８５〜１．０３５の範囲で設定され得る。
【００３３】
分離体２２は、前述のように本体２１の上記収容部２４に嵌め込まれるものであるが、このとき分離体２２の螺合凹部３１に保持棒３３が螺合される。つまり、分離体２２は、収容部２４に嵌め込まれる際に、保持棒３３の先端部にねじ込まれる。これにより、分離体２２が本体２１に保持固定されると共に、保持棒３３の孔３８の中心と分離体２２の貫通孔２５の中心とが一致され、釣用浮き２０の中心を上下方向（軸方向）に沿って貫通する単一の釣糸挿通孔３９（図１参照）が形成される。
【００３４】
このように本実施形態に係る釣用浮き２０では、保持機構３０によって分離体２２が本体２１と合体される。この状態では、本体２１の貫通孔２５と分離体２２の貫通孔２８とが連通され、単一の釣糸挿通孔３９（図１参照）が形成される。すなわち、図３が示すように、分離体２２が本体２１に合体されて釣用浮き２０が構成される。このとき、本体２１及び分離体２２の比重が前述のように設定されるから、当該釣用浮き２０は、海中で所定の浮力を有する中通し浮きとして構成され、通常の海面Ｌに浮かぶ浮きとして使用される。
【００３５】
一方、図４が示すように、釣人は、所要時（例えば潮流が速い場合等）においては、分離体２２を本体２１から離脱させることによって、釣用浮き２０をいわゆる二段浮きとして使用することができ、本体２１を水中浮きとして使用し、分離体２２を当たり浮きとして使用することができる。さらに、釣人は、必要であれば、再び分離体２２を本体２１に合体させて釣用浮き２０を単一の中通し浮きとして使用することができる。
【００３６】
よって、本実施形態に係る釣用浮き２０では、釣人の所望時に単一の中通し浮きとして使用することもでき、また二段浮きとして使用することもできるので、釣人は、海上の状況の変化に瞬時に対応して仕掛けの態様を簡単且つ迅速に変更することができる。
【００３７】
特に、本実施形態では、上記保持機構３０が本体２１側に設けられた保持棒３３と、分離体２２側に設けられた螺合凹部３１とにより構成されるので（図２参照）、釣人は、分離体２２を本体２１にねじ込むという簡単な作業により、両者を合体させることができると共に、同様の作業によって、両者を簡単に分離することができる。したがって、釣人は、海上の状況の変化に一層迅速に対応して仕掛けの態様を変更することができる。
【００３８】
さらに、本実施形態では、筒状の保持棒３３が本体２１に貫通配置されることによって当該保持棒３３が本体２１に立設されると共に、釣糸が挿通される貫通孔２８が構成される。したがって、分離体２２を保持固定するために保持棒３３が別途設けられたとしても、特別に釣糸が挿通される孔の加工が不要であるという利点がある。
【００３９】
＜第２の実施形態＞
次に、本発明の第２の実施形態について説明される。
図５は、本発明の第２の実施形態に係る釣用浮き４０の分解断面図である。
【００４０】
本実施形態に係る釣用浮き４０が上記第１の実施形態に係る釣用浮き２０と異なるところは、上記釣用浮き２０では、保持機構３０は、雄ねじ３４が形成された保持棒３３と、分離体２２に設けられた螺合凹部３１とにより構成されていたのに対し、本実施形態に係る釣用浮き４０では、保持機構４１は、先端部４２が略球形に形成された保持棒４３と、分離体２２に設けられた嵌合凹部４４とにより構成されている点である。つまり、保持棒４３の先端部４２に分離体２２が嵌め込まれることによって、本体２１と分離体２２とが合体されるようになっている。なお、その他の構成については、上記第１の実施形態に係る釣用浮き２０と同様である。
【００４１】
図６は、保持棒４３の拡大斜視図である。
同図が示すように、保持棒４３の先端部４２は、外径が滑らからに拡大されており、これにより略球形に形成されている。なお、上記第１の実施形態に係る保持棒３３と同様に、保持棒４３は筒状に形成され、軸方向に沿って孔３８が設けられている。また、この先端部４２には、スリット４５、４６が形成されている。これらスリット４５、４６は、互いに直交して十字状に形成されており、これにより、当該先端部４２の外径寸法は、弾性的に拡縮が可能となっている。
【００４２】
また、嵌合凹部４４は、分離体２２の貫通孔２８の下端部に設けられており、その内壁面形状は、略球形に形成されている。この嵌合凹部４４は、分離体２２の下面４７に開口４８を有し、上記保持棒４３の先端部４２は、この開口４８から嵌合凹部４４に嵌め込まれるようになっている。
【００４３】
本実施形態においても、保持棒４３は、本体２１の貫通孔２５に上方から挿通され、固定リング３７が装着されることによって本体２１に立設される。このとき、保持棒４３の先端部４２は、収容部２４内に突出する。釣人は、分離体２２を収容部２４に挿入し、保持棒４３の先端部４２を分離体２２の嵌合凹部４４に嵌め込むだけで、分離体２２は、一定の保持力で本体２１に固定される。また、釣人は、当該保持力に抗して分離体２２を引っ張ることによって、分離体２２を本体２１から分離させることができる。したがって、釣用浮き４０は、上記第１の実施形態に係る釣用浮き２０と同様に、単一の中通し浮きとして使用することもでき、所要時には、分離体２２を本体２１から簡単に切り離して二段浮きとして使用することができる。
【００４４】
特に、本実施形態では、保持棒４３の先端部４２にスリット４５、４６が設けられているから、保持棒４３が上記嵌合凹部４４に嵌合する際には、保持棒４３の先端部４２が弾性的に縮径される。したがって、分離体２２は、きわめて簡単に保持棒４３と嵌合する。そして、分離体２２の先端部４２が嵌合凹部４４内に嵌め込まれると、保持棒４３の先端部が弾性的に拡径され、分離体２２は、本体２１側に一定の保持力で確実に保持される。なお、釣人は、再び分離体２２を本体２１から分離する場合には、分離体２２を引っ張る作業を行うが、このとき、上記保持棒４３の先端部４２が弾性的に縮径されるので、分離体２２を分離する作業も容易である。
【００４５】
＜第３の実施形態＞
次に、本発明の第３の実施形態について説明される。
図７は、本発明の第３の実施形態に係る釣用浮き５０の分解断面図である。
【００４６】
本実施形態に係る釣用浮き５０が上記第１の実施形態に係る釣用浮き２０と異なるところは、保持機構５１の構造であって、上記釣用浮き２０では、保持棒３３を介して分離体２２が本体２１に合体されていたのに対し、本実施形態に係る釣用浮き５０では、分離体２２が直接本体２１にねじ込まれることによって両者が合体されるようになっている点である。なお、その他の構成については、上記第１の実施形態に係る釣用浮き２０と同様であるが、特に本実施形態に係る釣用浮き５０では、本体２１の貫通孔２５は真直に形成され、この貫通孔２５にスリーブ５２が装着されており、一方、分離体２２の貫通孔２８にもスリーブ５３が装着されている。各スリーブ５２、５３が設けられることによって、釣糸は、スムーズに各貫通孔２５、２８に挿通される。
【００４７】
本体２１の収容部２４の内壁面には、雌ねじ５４が形成されている。一方、分離体２２の周面には、雄ねじ５５が形成されている。釣人は、分離体２２を把持し、雄ねじ５５と本体２１の雌ねじ５４とを螺合させることによって、本体２１と分離体２２とを合体させることができる。このように、本実施形態では、分離体２２が直接本体２１にねじ込まれるから、本体２１に対する分離体２２の着脱作業がきわめて簡単であり、釣用浮き５０は、単一の中通し浮きとしても、二段浮きとしてもより使い勝手の良いものとなる。
【００４８】
＜第４の実施形態＞
次に、本発明の第４の実施形態について説明される。
図８は、本発明の第４の実施形態に係る釣用浮き６０の分解断面図である。
【００４９】
本実施形態に係る釣用浮き６０が上記第１の実施形態に係る釣用浮き２０と異なるところは、保持機構６１の構造であって、上記釣用浮き２０では、保持棒３３を介して分離体２２が本体２１に合体されていたのに対し、本実施形態に係る釣用浮き６０では、分離体２２に形成された係合爪６２が本体２１に設けられた係合溝６３に嵌め込まれることによって両者が合体されるようになっている点である。なお、その他の構成については、上記第１の実施形態に係る釣用浮き２０と同様であるが、特に本実施形態に係る釣用浮き６０では、上記第３の実施形態に係る釣用浮き５０と同様に、本体２１の貫通孔２５は真直に形成され、この貫通孔２５にスリーブ５２が装着されており、一方、分離体２２の貫通孔２８にもスリーブ５３が装着されている。
【００５０】
分離体２２に設けられた係合爪６２は、略円柱状に形成され、分離体２２の周面から外側に向かって突設されている。係合爪６２は、本実施形態では、分離体２２の周面に周方向に対象に４カ所に設けられている。もっとも、係合爪６２は、周方向に対象に２カ所に設けられていてもよいし、さらに多数設けられていてもよい。
【００５１】
上記係合溝６３は、略Ｌ字状に形成されている。具体的には、係合溝６３は、本体２１の上面２６から収容部２４の内壁面に沿って下方へ延び、その後収容部２４の内壁面に沿って周方向に延びている。係合溝６３の溝幅寸法は、上記係合爪６２の外径寸法に対応されており、係合爪６２は、係合溝６３に隙間なく嵌め込まれるようになっている。したがって、係合爪６２は、この係合溝６３に挿入され、当該係合溝６３に沿ってスライドされることによって、分離体２２が本体２１に係合保持される。なお、上記係合爪６２及び係合溝６３の形状は、上記の形状に限定されるものではなく、両者が隙間なく係合するために互いに同様の形状に形成されていればよい。
【００５２】
本実施形態では、釣人は、分離体２２を把持して係合爪６２を本体２１の係合溝６３に嵌め込み、当該係合溝６３に沿って分離体２２をスライドさせるだけで、簡単に分離体２２を本体２１に固定することができ、また、分離体２２を本体２１から取り外すことができる。このとき、係合爪６２の外形寸法及び係合溝６３の内形寸法が適当に設定されることによって、両者間に所定の摩擦力が生じ、これにより、分離体２２が本体２１に合体した状態で、釣人の意図しないときに両者が分離してしまうことが防止される。このように、本実施形態に係る釣用浮き６０においても、単一の中通し浮きとしても、二段浮きとしてもより使い勝手の良いものとなる。
【産業上の利用可能性】
【００５３】
本発明は、釣り、特に海での浮き釣りに使用される浮きに適用され得る。
【図面の簡単な説明】
【００５４】
【図１】図１は、本発明の第１の実施形態に係る釣用浮きの正面図である。
【図２】図２は、本発明の第１の実施形態に係る釣用浮きの一部断面分解正面図である。
【図３】図３は、本発明の第１の実施形態に係る釣用浮きの使用状態を示す模式図である。
【図４】図４は、本発明の第１の実施形態に係る釣用浮きの他の使用状態を示す模式図である。
【図５】図５は、本発明の第２の実施形態に係る釣用浮きの分解断面図である。
【図６】図６は、本発明の第２の実施形態に係る釣用浮きの保持棒の拡大斜視図である。
【図７】図７は、本発明の第３の実施形態に係る釣用浮きの分解断面図である。
【図８】図８は、本発明の第４の実施形態に係る釣用浮きの分解断面図である。
【図９】図９は、一般的な浮き釣りの仕掛けによる釣りの様子を示す模式図である。
【図１０】図１０は、一般的な浮き釣りの仕掛けが海中で安定した状態を示す模式図である。
【図１１】図１１は、潮流が速くなったときの仕掛けの状態を示す模式図である。
【図１２】図１２は、浮力が抑制された浮きが使用された仕掛けの状態を示す模式図である。
【図１３】図１３は、従来の二段浮き釣法による仕掛けの状態を模式的に示す図である。
【符号の説明】
【００５５】
２０・・・釣用浮き
２１・・・本体
２２・・・分離体
２３・・・錘
２４・・・収容部
２５・・・貫通孔
２７・・・錘
２８・・・貫通孔
３０・・・保持機構
３１・・・螺合凹部
３２・・・雌ねじ
３３・・・保持棒
３４・・・雄ねじ
３８・・・孔
３９・・・釣糸挿通孔
４０・・・釣用浮き
４１・・・保持機構
４２・・・先端部
４３・・・保持棒
４４・・・嵌合凹部
４５・・・スリット
４６・・・スリット
４７・・・下面
４８・・・開口
５０・・・釣用浮き
５１・・・保持機構
５２・・・スリーブ
５３・・・スリーブ
５４・・・雌ねじ
５５・・・雄ねじ
６０・・・釣用浮き
６１・・・保持機構
６２・・・係合爪
６３・・・係合溝
【図１】
2005080614.tif 000003
【図２】
2005080614.tif 000004
【図３】
2005080614.tif 000005
【図４】
2005080614.tif 000006
【図５】
2005080614.tif 000007
【図６】
2005080614.tif 000008
【図７】
2005080614.tif 000009
【図８】
2005080614.tif 000010
【図９】
2005080614.tif 000011
【図１０】
2005080614.tif 000012
【図１１】
2005080614.tif 000013
【図１２】
2005080614.tif 000014
【図１３】
2005080614.tif 000015